(57)【要約】【課題】同軸ケーブルを用いる高周波信号向けの回路において素子のインピーダンスの整合がとれ、挿入損失が少ない好適な放電型サージ吸収素子を提供することを目的とする。【解決手段】円筒状電極２の両端開口部を絶縁板３にて被蓋して中空筒体４を形成する。この中空筒体４内に不活性ガスを封入するとともに、上記絶縁板３の中心部に線状電極５を挿通し、上記中空筒体４内における線状電極５と円筒状電極２間に放電ギャップ６を形成する。【選択図】図２
0003122317.tif 000002
【実用新案登録請求の範囲】
【請求項１】
円筒状電極の両端開口部を絶縁板にて被蓋して形成した中空筒体内には不活性ガスを封入するとともに、上記絶縁板の中心部には線状電極を挿通し、上記中空筒体内における上記線状電極と上記円筒状電極間に放電ギャップを形成することを特徴とする放電型サージ吸収素子。
【請求項２】
線状電極と円筒状電極間の放電ギャップを全周に亘り同間隔としたことを特徴とする請求項１記載の放電型サージ吸収素子。
【請求項３】
線状電極の外径に対する円筒状電極の内径の比を１：２〜１：５としたことを特徴とする請求項１又は２記載の放電型サージ吸収素子。
【考案の詳細な説明】
【技術分野】
【０００１】
本考案は、通信ケーブル等に発生する高電圧のサージを吸収する放電型サージ吸収素子に係り、特に同軸ケーブルを用いる高周波信号向けの回路において素子のインピーダンスの整合がとれ、挿入損失が少ない好適な放電型サージ吸収素子に関するものである。
【背景技術】
【０００２】
従来、信号ラインや電源ラインに侵入する高電圧の誘導雷や静電気等から機器を守るために、放電間隙を気密容器に収容した放電型サージ吸収素子が用いられている。この放電型サージ吸収素子としては、相対向する２枚の電極をガラス管内に封入し内部に放電ガスを封入している。
【特許文献１】特開昭５５−１４８３８１号公報
【考案の開示】
【考案が解決しようとする課題】
【０００３】
しかしながら、上述した従来の放電型サージ吸収素子にあっては、その構造からして、これを挿入する個所でインピーダンスの整合をとることが困難であった。特に、同軸ケーブルを用いる高周波信号向けの回路にあっては、同軸ケーブルにおける芯線とシールドとの間にこの従来の平行な電極構造の放電型サージ吸収素子を挿入すると同軸構造がくずれてしまい、その結果インピーダンスが整合せずに高周波信号の伝送特性に大きな影響を与えてしまうという問題があった。
【０００４】
そこで、本考案にあっては、同軸ケーブルを用いる高周波信号向けの回路において素子のインピーダンスの整合がとれ、挿入損失が少ない好適な放電型サージ吸収素子を提供することを目的とするものである。
【課題を解決するための手段】
【０００５】
本考案の放電型サージ吸収素子は、円筒状電極の両端開口部を絶縁板にて被蓋して形成した中空筒体内には不活性ガスを封入するとともに、上記絶縁板の中心部には線状電極を挿通し、上記中空筒体内における上記線状電極と上記円筒状電極間に放電ギャップを形成することを特徴とするものである。
【０００６】
また、線状電極と円筒状電極間の放電ギャップを全周に亘り同間隔としたことを特徴とするものである。
【０００７】
また、線状電極の外径に対する円筒状電極の内径の比を１：２〜１：５としたことを特徴とするものである。
【考案の効果】
【０００８】
本考案の放電型サージ吸収素子は、円筒状電極の両端開口部を絶縁板にて被蓋して形成した中空筒体内には不活性ガスを封入するとともに、上記絶縁板の中心部には線状電極を挿通し、上記中空筒体内における上記線状電極と上記円筒状電極間に放電ギャップを形成することで、放電型サージ吸収素子は同軸ケーブルと同様の同軸構造となってインピーダンスを設定することが容易となり、かつ同軸ケーブルとの接続において芯線をシールドが囲繞する同軸構造を維持することにより容易にインピーダンスを整合させることができる。
【０００９】
また、線状電極と円筒状電極間の放電ギャップを全周に亘り同間隔としたことで、放電が一個所に集中することなく全周を放電に供することができるので放電型サージ吸収素子の特性の安定化及び長寿命化を図ることができる。
【００１０】
また、線状電極の外径に対する円筒状電極の内径の比を１：２〜１：５とすることで、放電型サージ吸収素子のインピーダンスを適切な値に設定しつつ、適切な放電開始電圧とすることが可能となる。
【考案を実施するための最良の形態】
【００１１】
図１及び図２は、本考案の放電型サージ吸収素子１を表しており、この放電型サージ吸収素子１は、これが挿入接続される同軸ケーブルと同様の構造、すなわち円筒状電極２の両端開口部を絶縁板３にて被蓋して形成した中空筒体４内に不活性ガスを封入するとともに、絶縁板３の中心部に線状電極５を挿通し、中空筒体４内における線状電極５と円筒状電極２間に放電ギャップ６を形成するものである。そして、線状電極５が絶縁板３の中心部を挿通することで、線状電極５と円筒状電極２間の間隔がその内周全長に亘り全周で同間隔となり、線状電極５と円筒状電極２の全周を放電ギャップ６とすることができる。これにより、放電が一個所に集中することなく中空筒体４内の線状電極５と円筒状電極２の全周で放電可能とすることができ、放電型サージ吸収素子１の特性の安定化及び長寿命化が可能となる。
【００１２】
放電型サージ吸収素子１自身のインピーダンスは、線状電極５の外径と、円筒状電極２の内径との比を適宜に設定することにより、これを接続する同軸ケーブル（図示せず）の伝送路のインピーダンスと整合させることができる。すなわち、線状電極５の外径に対する円筒状電極２の内径の比を小さくするとインピーダンスは低下し、また大きくするとインピーダンスは上昇する。
その一方、線状電極５と円筒状電極２間の放電ギャップ６を小さくすると放電開始電圧は低下し、また放電ギャップ６を大きくすると放電開始電圧は上昇するので、インピーダンスと放電開始電圧の両方をうまく設定する必要がある。
【００１３】
そこで線状電極６の外径に対する円筒状電極２の内径の比を、１：２〜１：５の間に設定することとする。これは、放電型サージ吸収素子１のインピーダンスが、５０Ω、７５Ω、９３Ωに設定されることが多いことを考慮した上で設定されるものであり、５０Ωの場合には線状電極６の外径に対する円筒状電極２の内径の比は１：２．３、７５Ωの場合は１：３．５、９３Ωの場合は１：４．７となるものである。
また放電型サージ吸収素子１の内部には、アルゴン、ネオン、ヘリウム、キセノン等の希ガス、あるいは窒素ガス等の不活性ガスの単体又は混合ガスよりなる放電ガスを封入する。
【００１４】
そして放電型サージ吸収素子１を同軸ケーブルに接続するに際しては、線状電極５を同軸ケーブルの芯線に接続するとともに、円筒状電極２を同軸ケーブルのシールドに接続するものである。本考案の放電型サージ吸収素子１を同軸ケーブルの伝送路に接続することで、一般的には静電容量が増加し、インピーダンスが減少することとなるが、本考案にあっては放電型サージ吸収素子１における線状電極５の外径及び円筒状電極２の内径を適宜に設定することにより、伝送路のインピーダンスを保持することができる。
【図面の簡単な説明】
【００１５】
【図１】本考案の放電型サージ吸収素子を示す斜視図である。
【図２】本考案の放電型サージ吸収素子を示す断面図である。
【符号の説明】
【００１６】
１  放電型サージ吸収素子
２  円筒状電極
３  絶縁板
４  中空筒体
５  線状電極
６  放電ギャップ
【図１】
0003122317.tif 000003
【図２】
0003122317.tif 000004